(57)【特許請求の範囲】
【請求項１】
放射線ビームを放出するために使用される光源と、
互いに密接し、前記放射線の光路内に配置された複数の光導管を含む光導管アレイと、
を含み、
前記各光導管が、前記放射線を反射する内部反射面と、光入力端と、前記光入力端の反対側にある光出力端とを有し、前記放射線が、前記光入力端を介して前記光導管に進入し、前記光出力端から放出され、
前記各光導管の前記内部反射面が、前記光入力端に隣接した調整装置を含み、前記調整装置が、２つの隣接する光導管間において前記光入力端での各光導管の入光面積を調整するために使用されるソーラーシミュレータ。
【請求項２】
前記光源が、前記放射線を前記光路に導くリフレクタを含む請求項１記載のソーラーシミュレータ。
【請求項３】
前記光源が、前記光源の位置を調整するアライメント装置を含む請求項１記載のソーラーシミュレータ。
【請求項４】
前記光導管の形状が、それぞれ多角形柱である請求項１記載のソーラーシミュレータ。
【請求項５】
前記光導管のうちの１つに内設され、対応する光導管の発光面を複数の発光面積に分割する少なくとも１つの調整導光板をさらに含む請求項１記載のソーラーシミュレータ。
【請求項６】
複数の光源を含み、前記各光源が、放射線ビームを放出するために使用される光源アレイと、
互いに密接し、前記放射線の光路内に配置された複数の光導管を含む光導管アレイと、
を含み、
前記各光導管が、前記複数の光源から放出された前記放射線を反射する内部反射面と、光入力端と、前記光入力端の反対側にある光出力端とを有し、前記放射線が、前記光入力端を介して前記光導管に進入し、前記光出力端から放出され、
前記各光導管の前記内部反射面が、前記光入力端に隣接した調整装置を含み、前記調整装置が、２つの隣接する光導管間において前記光入力端での各光導管の入光面積を調整するために使用されるソーラーシミュレータ。
【請求項７】
前記各光源が、前記光導管のうちの１つに対応する請求項６記載のソーラーシミュレータ。
【請求項８】
前記各光源が、前記複数の光導管に対応する請求項６記載のソーラーシミュレータ。
【請求項９】
前記複数の光源が、前記光導管のうちの１つに対応する請求項６記載のソーラーシミュレータ。
【請求項１０】
前記光導管の形状が、それぞれ多角形柱である請求項６記載のソーラーシミュレータ。
【請求項１１】
前記光導管のうちの１つに内設され、対応する光導管の発光面を複数の発光面積に分割する少なくとも１つの調整導光板をさらに含む請求項６記載のソーラーシミュレータ。
【請求項１２】
前記各光源が、前記放射線を前記光路に導くリフレクタを含む請求項６記載のソーラーシミュレータ。
【請求項１３】
前記各光源が、前記光源の位置を調整するアライメント装置を含む請求項６記載のソーラーシミュレータ。
【発明の詳細な説明】
【技術分野】
【０００１】
本発明は、光学システムに関するものであり、特に、ソーラーシミュレータ（solar simulator）に関するものである。
【背景技術】
【０００２】
ソーラーシミュレータは、太陽電池と光起電モジュール（photovoltaic module）の光電変換効率を検査する主要装置であり、太陽エネルギー産業における製品の研究や検証に非常に重要である。周知のソーラーシミュレータは、光源の技術に基づいて、主に閃光型（flash type）と連続照射型（continuous exposure type）とに分けられる。閃光型のソーラーシミュレータは、コストが低く、単純設計という利点がある。連続照射型のソーラーシミュレータは、本物の太陽光に近い照射を提供することができるため、連続照射型のソーラーシミュレータを使用した場合、過渡効果（transient effect）により発生する測定誤差を防止することができる。さらに、連続照射型のソーラーシミュレータは、加熱照射（heating exposure）や測定照射（measurement exposure）等の他の試験方法と組み合わせて、同じ装置上で実行することができるため、連続照射型のソーラーシミュレータは、優れた実用性を有する。
【０００３】
ソーラーシミュレータは、スペクトルマッチ、試験平面上の放射照度の不均一性、および放射照度の一時的不安定性といった少なくとも３つの特定性能を有することが要求される。試験平面上の放射照度の不均一性を改善するには、大抵、光源の配光設計、光源の相対位置の調整、反射や散乱素子の配置に重点が置かれるが、面積の大きい光源アレイを有する連続照射型ソーラーシミュレータが試験平面上の放射照度の高均一性（２％よりも小さい）を実現するのは、依然として非常に困難である。
【発明の概要】
【発明が解決しようとする課題】
【０００４】
照射面積の大きい連続照射型ソーラーシミュレータは、一般的に、複数の光のアレイを使用して、１０００Ｗ／ｍ2放射の試験条件を得ることが要求される。しかしながら、複数の光からの放射線が相互に重なり合って干渉し合い、散乱光を取り除くのが困難であるため、放射線の分布は複雑で、周知の技術では適切に制御や調整をするのが難しい。また、上述したように、照射面積の大きい連続照射型ソーラーシミュレータの試験平面上の放射照度の不均一性を制御する方法は、大抵、光源の配光設計、光源の相対位置の調整、反射や散乱素子の配置等に重点が置かれるが、このような構成要素の相対位置を局所的に調整する方法は、構成要素の相対位置が変更されていない他の領域の光度に影響を与える可能性があるため、照射面積の放射線分布を再度調整する必要があり、時間を浪費し、維持が困難なだけでなく、試験平面上の放射照度の不均一性を効果的に減らすことができない。
【課題を解決するための手段】
【０００５】
本発明は、試験平面上の放射照度の均一性を高めることのできるソーラーシミュレータを提供する。
【０００６】
本発明は、また、複数の光源において、試験平面上の放射照度の均一性を高めることのできるソーラーシミュレータを提供する。
【０００７】
本発明は、光源と、光導管アレイ（light conduit array）とを含むソーラーシミュレータを提供する。光源は、放射線ビームを放出するために使用される。光導管アレイは、互いに密接する複数の光導管を含み、放射線の光路に配置される。各光導管は、放射線を反射する内部反射面と、光入力端と、光入力端の反対側にある光出力端とを有する。放射線は、光入力端を介して光導管に進入し、光出力端から放出される。
【０００８】
本発明は、また、光源アレイと、光導管アレイとを含むソーラーシミュレータを提供する。光源アレイは、複数の光源を含む。各光源は、放射線ビームを放出するために使用される。光導管アレイは、互いに密接する複数の光導管を含み、放射線の光路に配置される。各光導管は、内部反射面を有し、放射線、光入力端、および光入力端の反対側にある光出力端を反射する。放射線は、光入力端を介して光導管に進入し、光出力端から放出される。
【発明の効果】
【０００９】
以上のように、本発明は、光導管アレイが複数の光導管から成り、光導管アレイの上に１つまたはそれ以上の光源を設置する。光導管アレイを設置することによって、光源から放出された放射線は、複数の光導管の作用により、試験平面上の放射照度の均一性を高めることができる。また、ソーラーシミュレータは、複数の光源を設置するため、放射線の大面積照射を達成することができる。
【００１０】
本発明の上記および他の目的、特徴、および利点をより分かり易くするため、図面と併せた幾つかの実施形態を以下に説明する。
【図面の簡単な説明】
【００１１】
【図１Ａ】本発明の第1実施形態に係るソーラーシミュレータの概略図である。
【図１Ｂ】光源およびスライド軌跡の概略図である。
【図２】本発明の第２実施形態に係るソーラーシミュレータの概略図である。
【図３Ａ】本発明の第３実施形態に係るソーラーシミュレータの概略図である。
【図３Ｂ】本発明の第３実施形態に係る別のソーラーシミュレータの概略図である。
【図４】本発明の実施形態に係るソーラーシミュレータの光導管アレイの概略図である。
【図５】本発明の別の実施形態に係るソーラーシミュレータの光導管アレイの概略図である。
【発明を実施するための形態】
【００１２】
図１Ａは、本発明の第１実施形態に係るソーラーシミュレータの概略図である。図１Ａを参照すると、ソーラーシミュレータ１００は、光源１１０と、光導管アレイ１２０とを含む。光源１１０は、発光面１１２を有し、放射線ビームＬを放出するために使用される。光導管アレイ１２０は、互いに密接する複数の光導管１２２を含み、放射線の光路に配置される。各光導管１２２は、放射線を反射する内部反射面Ｐと、光入力端１２２Ａと、光入力端１２２Ａの反対側にある光出力端１２２Ｂとを有する。放射線Ｌは、光入力端１２２Ａを介して光導管１２２に進入し、光出力端１２２Ｂから放出されて、必要な疑似太陽光を提供する。つまり、本実施形態において、光入力端１２２Ａは、発光面１１２に相対的に接近しており、光出力端１２２Ｂは、発光面１１２から相対的に離れているため、光源１１０の発光面１１２は、光導管１２２の光入力端１２２Ａに面している。
【００１３】
また、光源１１０は、放射線Ｌを所定の光路に導くリフレクタ１１４を含み、放射線Ｌを所定の光路に沿って伝送する。光導管アレイ１２０は、例えば、４つの光導管１２２を含む。各光導管１２２は、例えば、四辺形柱（quadrilateral column）の形状を有する。そのため、光導管アレイ１２０は、複数の四辺形柱から成る立体フレーム構造Ｍによって形成される。光導管アレイ１２０を製造している間、複数の内部反射面Ｐを有する光導管１２２を１つに組み合わせるか、あるいは粘着することによって、図１Ａに示した光導管アレイ１２０が形成される。あるいは、光導管アレイ１２０の製造方法は、中空の立体フレーム構造Ｍに複数の仕切板を配置して、放射線Ｌを反射することのできる内部反射面Ｐを備えた光導管アレイ１２０を形成することを含んでもよい。したがって、本実施形態は、光導管アレイ１２０の製造方法を限定しない。
【００１４】
さらに、立体フレーム構造Ｍおよび内部反射面Ｐの材料は、アルミニウム合金等の反射材料であってもよい。本実施形態において、立体フレーム構造Ｍは、４つの領域に分けられ、各領域は、１つの光導管１２２によって取り囲まれる。光源１１０から放出された放射線Ｌは、光導管１２２内に伝送され、内部反射面Ｐによって反射する。そのため、光導管アレイ１２０の作用によって、放射線Ｌが複数の（例えば、４つの）照射領域に分配され、各照射領域の放射線Ｌが何度も反射して、均一な分布を有することができる。つまり、各光導管１２２から放出された疑似太陽光は、均一に分布される特徴を有する。
【００１５】
さらに、光源１１０から放出された放射線Ｌは、各光導管１２２の中に均一に分散される。そのため、各光導管１２２の光出力端１２２Ｂから放出された放射線Ｌは、大体同じ強度を有することができる。つまり、光導管アレイ１２０は、１つの光導管１２２から放出された放射線Ｌをその光導管１２２によって定められた領域内に均一に分布させるだけでなく、複数の光導管１２２から放出された放射線Ｌも一致した強度にすることができるため、試験平面上の放射照度の均一性を高めることができ、さらには、放射線の不均一性によって発生する光起電モジュールの測定誤差を減らすこともできる。
【００１６】
本実施形態において、１つの光源１１０は、複数の光導管１２２から成る光導管アレイ１２０に対応するため、光源１１０から放出された放射線Ｌは、複数の領域に分配され、光導管１２２によって定義された各照射領域内に均一に分布される。本実施形態は、光源１１０から放出された放射線を複数の光導管１２２に分配するよう設計され、光源から放出された放射線を１つの光導管に伝送する設計と同様に、試験平面上の放射照度の均一性を高めることができるため、本実施形態の光導管１２２は、長さを短縮して装置の全体の体積を減らすことができる。
【００１７】
詳しく説明すると、本実施形態は、光源１１０と光導管アレイ１２０の相対位置を調整するだけで、試験平面上の放射照度の均一性を高めることができる。したがって、光源１１０は、光源１１０の位置を調整するアライメント装置（alignment device）１１６をさらに有してもよく、アライメント装置１１６は、図１Ｂに示すように、スライド軌跡（sliding track）１０の上に設置される。アライメント装置１１６は、光源１１０の位置を調整する必要がある場合に、スライド軌跡１０の上を滑動する（例えば、矢印の方向に沿って移動する）ことができる。アライメント装置１１６を調整することによって、光源１１０を光導管アレイ１２０の中心または別の位置に対応して設置することができる。注意すべきこととして、ソーラーシミュレータ１００の放射照度の不均一性が理想に達していない場合、アライメント１１６装置を介して光源１１０の位置を調整するだけで、必要な放射照度の不均一性を達成することができる。
【００１８】
本実施形態において、光源１１０は、発光ダイオード（ＬＥＤ）または高圧放電ランプ（high-pressure discharge lamp）を発光素子として使用するが、本発明はこれに限定されない。また、光導管１２２は、例えば、それぞれ四辺形柱の形状であってもよい。図１Ａに示した光導管１２２は、四辺形柱の形状を有するが、光導管１２２の形状は、選択的に、六角柱、八角柱、またはその他の中空柱（hollow column）であってもよい。さらに詳しく説明すると、内部反射面Ｐ間の狭角（included angle）は、設計の要求に基づいて、９０度、または０度以外の他の角度であってもよい。
【００１９】
図２は、本発明の第２実施形態に係るソーラーシミュレータの概略図である。図２を参照すると、ソーラーシミュレータ２００は、光源アレイ２１０Ａと、光導管アレイ２２０とを含む。光源アレイ２１０Ａは、複数の光源２１０を有する。各光源２１０は、放射線ビームＬを発光面２１２から放出するために使用される。光導管アレイ２２０は、互いに密接する複数の光導管２２２を含み、放射線Ｌの光路に配置される。各光導管２２２は、放射線Ｌを反射する内部反射面Ｐと、光入力端２２２Ａと、光入力端２２２Ａの反対側にある光出力端２２２Ｂとを有する。光源２１０から放出された放射線Ｌは、光入力端２２２Ａを介して光導管２２２に進入し、光出力端２２２Ｂから放出される。光源２１０は、放射線Ｌを所定の光路に導くリフレクタ２１４を含んでもよい。また、各光導管２２０の光入力端２２２Ａは、光源２１０の発光面２１２に相対的に接近しており、光出力端２２２Ｂは、光源２１０の発光面２１２から相対的に離れている。つまり、本実施形態と第１実施形態の間の相違点は、本実施形態のソーラーシミュレータ２００が複数の光源を有し、各光源２１０が１つの光導管２２２に対応していることである。
【００２０】
光導管アレイ２２０は、例えば、立体フレーム構造Ｍを構成し、内部反射面Ｐは、立体フレーム構造Ｍの内側の複数の領域を定義する。内部反射面Ｐおよび立体フレーム構造Ｍは、共に複数の光導管２２２を形成することができる。本実施形態において、光導管２２２の数は、例えば、光源２１０の数と同じであってもよい。また、内部反射面Ｐの高さは、例えば、立体フレーム構造Ｍの高さと同じであってもよいが、本発明はこれに限定されない。さらに、立体フレーム構造Ｍと内部反射面Ｐの材料は、アルミニウム合金等の反射材料であってもよい。そのため、各光源２１０から放出された放射線Ｌは、光導管２２２のうちの１つの中に伝送され、内部反射面Ｐによって何度も反射して、均一に分布することができる。
【００２１】
本実施形態において、各光源２１０から放出された放射線Ｌは、対応する光導管２２２を通過した後、光出力端２２２Ｂから放出される。各光源２１０から放出された放射線Ｌは、対応する光導管２２２の中で内部反射面Ｐによって何度も反射するため、各光導管２２２から放出する放射線Ｌは、均一な分布を有することができる。本実施形態において、光源２１０は、発光ダイオード（ＬＥＤ）または高圧放電ランプを発光素子として使用するが、本発明はこれに限定されない。
【００２２】
ここで、光源２１０から放出された光の強度は、光源の選択や光源に印加された電流の調整等によって同一になるよう制御することができる。そのため、ソーラーシミュレータ２００は、照射面積が大きく、且つ均一に分布された疑似太陽光を提供することができるため、光起電モジュールの測定誤差を減らすことができる。また、光源２１０は、光源２１０の位置を調整して、放射線Ｌを各光導管２２２の中に均一に分布させるアライメント装置２１６をさらに含んでもよい。
【００２３】
ソーラーシミュレータ２００が光起電モジュールＳＬの検査に使用される場合、光起電モジュールＳＬは、各光導管２２２の光出力端２２２Ｂに配置される。したがって、光源２１０および検査する光起電モジュールＳＬは、光導管アレイ２２０の２つの対向する側に設置され、光源２１０の一側は、各光導管２２２の光入力端２２２Ａに対応し、光起電モジュールＳＬの一側は、各光導管２２２の光出力端２２２Ｂに対応する。そのため、光照射面積が大きく、且つ均一に分布された疑似太陽光によって起電モジュールＳＬを照射して、起電モジュールＳＬの特性を検査することができる。
【００２４】
本実施形態は、ソーラーシミュレータ２００から放出された疑似太陽光の不均一分布が検出された時、アライメント装置を介して光源２１０の位置を調整するだけで、光導管アレイ２２０と各光源２１０の間の相対位置を変更し、疑似太陽光の放射照度の均一性を改善することができる。１つの導管を設置した複数の光源のアレイを採用する設計と比較すると、本実施形態の設計は、光間で放射線が相互に重なり合って干渉し合う状況を改善し、１つの領域で放射線を調整しても他の領域の放射照度の均一性に影響を与えないようにすることができる。さらに、本実施形態のように、照射面全体において放射線の放射照度の均一性を調整する方がずっと簡単であり、時間の節約にもなる。
【００２５】
図３Ａは、本発明の第３実施形態に係るソーラーシミュレータの概略図である。図３Ａを参照すると、ソーラーシミュレータ３００は、複数の光源３１０と、光導管アレイ３２０とを含む。各光源３１０は、発光面３１２から放射線Ｌを放出するために使用され、光導管アレイ３２０は、複数の光導管３２２を含む。詳しく説明すると、光源３１０は、例えば、光源アレイ３１０Ａを構成する。放射線Ｌの光路内に設置された各光導管３２２は、放射線Ｌを反射する内部反射面Ｐと、光入力端３２２Ａと、光出力端３２２Ｂとを有する。光入力端３２２Ａは、発光面３１２に相対的に接近しており、光出力端３２２Ｂは、発光面３１２から相対的に離れているため、発光面３１２は、光入力端３２２Ａに面している。本実施形態において、光源３１０は、放射線Ｌを所定の光路に導くリフレクタ３１４を含み、放射線Ｌを所定の光路に沿って伝送する。また、放射線Ｌは、光入力端３２２Ａを介して光導管３２０に進入し、光出力端３２２Ｂから放出され、必要な疑似太陽光を提供する。
【００２６】
詳しく説明すると、本実施形態と第２実施形態の間の相違点は、本実施形態の各光源３１０が複数の光導管３２２に対応していることである。本実施形態の各光源３１０は、例えば、４つの光導管３２２に対応するため、光源３１０の数は、光導管３２２の数よりも少ない。さらに、各光源３１０は、４つの密接した光導管３２２によって定義された領域の中央に配置される。つまり、光導管アレイ３２０は、各光源３１０から放出された放射線Ｌを対応する４つの光導管３２２に分配するが、本発明はこれに制限されない。また、各光導管３２２は、例えば、それぞれ多角形柱の形状を有してもよい。本実施形態において、光導管３２２は、例えば、四辺形柱の形状を有するが、本発明はこれに限定されない。
【００２７】
光導管アレイ３２０は、複数の光導管３２２から成る立体フレーム構造Ｍによって形成される。１つの実施形態において、光導管アレイ３２０は、複数の独立した光導管３２２を相互に接着することによって形成される。内部反射面Ｐは、反射材料によって形成されるため、各光導管３２２内に伝送された放射線Ｌは、内部反射面Ｐの反射を受けて均一に分布され、その後、光出力端３２２Ｂから放出される。したがって、各光導管３２２から放出された放射線Ｌは、試験平面上の放射照度の均一性を高めることができる。
【００２８】
さらに、各光源３１０から放出された放射線Ｌは、対応する４つの光導管３２２の作用によって均一に分布されるため、対応する４つの光導管３２２から放出した各光源３１０の放射線Ｌは、試験平面上の放射照度の均一性を高めることができる。ソーラーシミュレータ３００の全体的な発光効果については、光導管アレイ３２０の作用を受けた後、各光源３１０から放出された放射線Ｌが試験平面上の放射照度の均一性を高め、不均一な放射線分布によって発生する光起電モジュールの測定誤差を減らすことができる。
【００２９】
注意すべきこととして、本実施形態において、光導管３２２の数は、光源３１０の数に等しいか、それよりも多いが、別の実施形態において、光導管３２２の数は、図３Ｂに示すように、光源３１０の数よりも少なくてもよい。つまり、本発明は、複数の光源３１０が１つの光導管３２２に対応する設計を採用する。
【００３０】
図４は、本発明の実施形態に係る光導管アレイの概略図である。図４を参照すると、光導管アレイ４００は、例えば、複数の光導管４０２から成る立体フレーム構造４１０である。光導管アレイ４００の各光導管４０２は、放射線を反射することのできる内部反射面４２０を有し、各内部反射面４２０は、２つの隣接する光導管４０２の境界として機能する。本実施形態において、各光導管４０２は、光入力端４０２Ａおよび光出力端４０２Ｂを有し、各内部反射面４２０は、光入力端４０２Ａに隣接する調整装置４２２を含んでもよい。調整装置４２２は、２つの密接した光導管４０２間において光入力端４０２Ａでの各光導管４０２の入光面積を調整するために使用される。
【００３１】
各内部反射面４２０の調整装置４２２は、配置角度を調整することのできる導光板によって形成され、光入力端４０２Ａ付近に配置される。調整装置４２２の配置角度を調整した時、対応する光導管４０２の入光面積の１つを増やすことができ、他の面積は減少する。光導管アレイ４００を第１〜第３実施形態のソーラーシミュレータ１００〜３００に応用することによって、放射線の分布をさらに調整して、放射照度の均一性を最適化することができる。また、各内部反射面４２０は、選択的に、光出力端４０２Ｂに隣接した別の調整装置（図示せず）を含み、対応する光導管４０２の発光面の大きさを調整して、必要な放射照度の均一性を有する疑似太陽光を得てもよい。
【００３２】
本実施形態において、光導管アレイ４００は、選択的に、光導管４０２のうちの１つに内設された少なくとも１つの調整導光板４３０をさらに含み、対応する光導管４０２の発光面を複数の発光面積４３２に分割する。ここで、調整導光板４３０の高さは、例えば、内部反射面Ｐの高さよりも低いが、本発明はこれに限定されない。注意すべきこととして、調整装置４２２と調整導光板４３０のうちの少なくとも１つを第１〜第３実施形態のソーラーシミュレータ１００〜３００のいずれか１つに選択的に応用して、疑似太陽光の放射照度の均一化を実現することができる。
【００３３】
調整導光板４３０を設置することによって、光導管アレイ４００は、１つの光導管４０２に伝送された放射線を複数の発光面積４３２に分割することができる。例えば、調整導光板４３０を第３実施形態のソーラーシミュレータ３００に応用した場合、元々４つの照射領域に分配された各光源３１０の放射線Ｌがさらに１６の照射領域に分配されるため、疑似太陽光の試験平面上の放射照度の均一性を向上させることができる。したがって、各光導管４０２に伝送された放射線をさらに均一にして、試験平面上の放射照度の均一性を高めることができる。調整導光板４３０間の狭角または調整導光板４３０と内部反射面４２０の間の狭角は、必要に応じて決定および調整することができる。したがって、２つの調整導光板４３０間の最大狭角は、９０度か、あるいは９０度以外の角度でもよい。
【００３４】
図５は、本発明の別の実施形態に係るソーラーシミュレータの光導管アレイの概略図である。図５を参照すると、光導管アレイ５００は、立体フレーム構造Ｍを構成する複数の光導管５０２を含んでもよく、各光導管５０２は、放射線を反射することのできる複数の内部反射面Ｐを有する。本実施形態と上述した実施形態の相違点は、光導管アレイ５００の各光導管５０２が六角柱の形状を有することである。光導管アレイ５００を上述した第１〜第３実施形態のうちの少なくとも１つに応用して、光導管アレイ１２０、２２０または３２０と置き換えることができる。ここで、光源３１０は、図５に示すように、２つの隣接する光導管５０２の間、または３つの密接する光導管５０２の間に配置されてもよい。あるいは、複数の光源３１０を光導管５０２の１つに対応して設置してもよく、本発明はこれらに限定されない。もちろん、上述した六角柱状の光導管５０２は、単なる例であるため、本発明はこれに限定されない。しかしながら、別の実施形態において、光導管５０２は、八角柱や１０個の側壁を有する多角柱等の形状であってもよい。
【００３５】
以上のように、本発明は、複数の光導管から成る光導管アレイを光源の前面に設置するため、光導管の作用により、光源から放出された放射線を均一に分布させることができる。したがって、ソーラーシミュレータは、試験平面上の放射照度の均一性を高めることができる。さらに、光導管内に設置された調整装置によって、光源と光導管アレイの相対位置を光源の発光効果および必要な放射照度の均一性に応じて調整することができるため、本発明で提供する構造により、試験平面上の放射照度の理想の均一性を容易に実現することができる。
【００３６】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３７】
１０    スライド軌跡
１００、２００、３００    ソーラーシミュレータ
１１０、２１０、３１０    光源
１１２、２１２    発光面
１１４、２１４、３１４    リフレクタ
１１６、２１６、３１６    アライメント装置
１２０、２２０、３２０、４００、５００    光導管アレイ
１２２、２２２、３２２、４０２、５０２    光導管
１２２Ａ、２２２Ａ、３２２Ａ、４０２Ａ    光入力端
１２２Ｂ、２２２Ｂ、３２２Ｂ、４０２Ｂ    光出力端
２１０Ａ、３１０Ａ    光源アレイ
４１０、５１０、Ｍ    立体フレーム構造
４２０、５２０、Ｐ    内部反射面
４２２    調整装置
４３０    調整導光板
４３２    発光面積
Ｌ    放射線
ＳＬ    光起電モジュール
【図１Ａ】
0005335874.tif 000002
【図１Ｂ】
0005335874.tif 000003
【図２】
0005335874.tif 000004
【図３Ａ】
0005335874.tif 000005
【図３Ｂ】
0005335874.tif 000006
【図４】
0005335874.tif 000007
【図５】
0005335874.tif 000008